(57)【要約】      （修正有）【課題】カートによる歩行運搬時でも、キャリーバッグ内のペットが不安なく安心して身を委ね、リラックスした状態でいられるようなペット用キャリーバッグの提供。【解決手段】カート式キャリーバッグ若しくはカートに載せるキャリーバッグである、ペット用キャリーバッグＡにおいて、該キャリーバッグＡの内部空間の底面４と側面５との角部内面を横断面円弧状に備えたペット用キャリーバッグＡによって課題を解決した。【選択図】図４
0003140063.tif 000002
【実用新案登録請求の範囲】
【請求項１】
ペットを入れて運搬するボストンバッグ状若しくはトランク状のキャリーバッグであり、該キャリーバッグの一部にキャスターと伸縮パイプハンドルを備えたカート式キャリーバッグ若しくはフレームにキャスターとパイプハンドルを備えた通常のカートに載せて運搬するのに適したキャリーバッグである、ペット用キャリーバッグにおいて、
キャリーバッグの内部空間の底面と側面との角部内面を横断面円弧状に形成したことを特徴とする、
ペット用キャリーバッグ。
【請求項２】
平面長方形乃至方形でキャリーバッグの内部空間の底面全部と左右側面の一部に跨った状態に曲成して敷設する底板を固定式若しくは着脱式に備え、該底板をもってキャリーバッグの内部空間の底面と側面との角部内面を横断面円弧状に形成した、
請求項１のペット用キャリーバッグ。
【請求項３】
設定厚さでキャリーバッグの内部空間の底面に見合った平面長方形乃至方形の部材の平面部を横断面円弧状に凹んだ状態に形成した底板を、内部空間の底面上に固定式若しくは着脱式に備え、該底板をもってキャリーバッグの内部空間の底面と側面との角部内面を横断面円弧状に形成した、
請求項１のペット用キャリーバッグ。
【考案の詳細な説明】
【技術分野】
【０００１】
飼主等がペット、主として犬・猫（以下単にペットと記す。）を運搬するのに使用するペット用キャリーバッグに係り、
ペット用キャリーバッグの一部にキャスターと伸縮パイプハンドルを備えたペット用カート式キャリーバッグ、若しくは、通常のカートに載せて運搬するのに適したペット用キャリーバッグに係るものであり、カートのハイプハンドルを曳いて歩行運搬する場合にキャリーバッグが傾斜しても、キャリーバッグ内のペットが正しく楽な姿勢で安心していられるように備えたことを特徴とするペット用キャリーバッグを提供するものである。
【背景技術】
【０００２】
近時、飼主等がペットを運搬する手段として、通常の人用の旅行等用のボストンバッグ・トランク・カバン等をペット用に改造（図示例、前後側面を通気性で内部のペットが見えるメッシュ張にした）したタイプのペット用キャリーバッグが使用されており、
【０００３】
また、該キャリーバッグの一部にキャスターと伸縮パイプハンドルを備えたペット用カート式キャリーバッグ（図示例）が提供されている他、
通常のカート、即ち、フレームにキャスターとパイプハンドルを備えたにカートに、該ペット用キャリーバッグを載せて運搬することが広く行なわれている。
【０００４】
よって、従来のペット用キャリーバッグでも、通常の歩行運搬、車載運搬等の場合は、バッグの底面が水平で安定しているため、キャリーバッグ内のペットは底面上に通常の楽な姿勢で立ち、座り、若しくは、寝そべるなどリラックスした状態でいられるものであった。
【特許文献１】実用新案登録第３１１６４６４号公報
【特許文献２】実願２００６−００８４７４号
【考案の開示】
【考案が解決しようとする課題】
【０００５】
ところが、上記従来のペット用キャリーバッグは、飼主等がカート式キャリーバッグの、若しくは、キャリーバッグを載せたカートの、ハイプハンドルを曳いて歩行運搬する場合、必然的に、キャリーバッグがハイプハンドルの傾斜と同方向に傾斜し、キャリーバッグの底面が傾斜してしまうため、ペットは底面と側面との角部にずり落ちるようになり、やむなく、ペットはキャリーバッグ内面の底面と側面に跨った不安定な姿勢で懸命にバランスを取って立っている他なくなり、よって、ペットに過大の恐怖、不安、疲労、ストレスを与え、また、ぺットが恐怖、不安のため鳴いて周囲に迷惑を掛けるような状態になる大きな課題があった。
【０００６】
そこで、カートによる歩行運搬時でも、キャリーバッグ内のペットが不安なく安心して身を委ね、リラックスした状態でいられるようなペット用キャリーバッグの提供が緊急の課題とされてきた。
【課題を解決するための手段】
【０００７】
本考案は、ペットを入れて運搬するボストンバッグ状若しくはトランク状のキャリーバッグであり、該キャリーバッグの一部にキャスターと伸縮パイプハンドルを備えたカート式キャリーバッグ若しくはフレームにキャスターとパイプハンドルを備えた通常のカートに載せて運搬するのに適したキャリーバッグである、ペット用キャリーバッグにおいて、
【０００８】
キャリーバッグの内部空間の底面と側面との角部内面を横断面円弧状に形成したことを特徴とする、ペット用キャリーバッグによって課題を解決したものである。
【考案の効果】
【０００９】
本考案は、飼主等がカートのハイプハンドルを曳いて歩行運搬するときに、キャリーバッグがハイプハンドルの傾斜と同方向に傾斜し、そのために、キャリーバッグの底面が傾斜して、ペットが底面と側面との角部の方向へずり落ちるようになり底面と側面に跨った位置に立たねばならぬような場合でも、該角部内面が横断面円弧状に形成されているため、ペットは横断面円弧状の角部内面上に通常の楽な姿勢で立ち、座り、若しくは、寝そべるなどリラックスした状態でいられる特徴があり、よって、従来の課題を有効に解決して、ペットに過大の恐怖、不安、疲労、ストレスを与えることが無く、また、ぺットが恐怖、不安のため鳴いて周囲に迷惑を掛ける恐れが無い、極めて優れた効果がある。
【実施例１】
【００１０】
以下、図面により、本考案の実施例１につき説明する。
図１は実施例１のペット用カート式キャリーバッグの正面斜視図、図２は図１の縦断面説明図、図３は図１の内部空間にペットを入れた状態の右側面説明図、図４は図３のハイプハンドルを曳いた歩行運搬時に傾斜した状態の説明図である。
符号、Ａはペット用キャリーバッグ、１はペット（犬）、２aは底板、３は横断面円弧状、４は底面、５は左右の側面、６は前後の側面に張ったメッシュ、７は伸縮パイプハンドル、８はキャスターである。
【００１１】
実施例１は、ペット１を入れて運搬するボストンバッグ状若しくはトランク状のキャリーバッグであり、該キャリーバッグの一部にキャスターと伸縮パイプハンドルを備えたカート式キャリーバッグ若しくはフレームにキャスターとパイプハンドルを備えた通常のカートに載せて運搬するのに適したキャリーバッグである、ペット用キャリーバッグＡにおいて、
【００１２】
平面長方形乃至方形でキャリーバッグＡの内部空間の底面４と左右側面５の一部に跨った状態に曲成して敷設する底板２aを固定式若しくは着脱式に備え、該底板２aをもってキャリーバッグＡの内部空間の底面４と側面５との角部内面を横断面円弧状に形成して備えた、ペット用キャリーバッグＡである。
【実施例２】
【００１３】
以下、図面により、本考案の実施例２につき説明する。
図５は底板２ｂの平面図、図６は図５の横断面図、図７は実施例２のペット用カート式キャリーバッグの縦断面説明図、図８は図７の内部空間にペットを入れた状態の右側面説明図、図９は図８のハイプハンドルを曳いた歩行運搬時に傾斜した状態の説明図である。
符号、２ｂは底板である。
【００１４】
実施例２は、ペット１を入れて運搬するボストンバッグ状若しくはトランク状のキャリーバッグであり、該キャリーバッグの一部にキャスターと伸縮パイプハンドルを備えたカート式キャリーバッグ若しくはフレームにキャスターとパイプハンドルを備えた通常のカートに載せて運搬するのに適したキャリーバッグである、ペット用キャリーバッグＡにおいて、
【００１５】
設定厚さでキャリーバッグＡの内部空間の底面４に見合った平面長方形乃至方形の部材の平面部を横断面円弧状に凹んだ状態に形成した底板２ｂを、内部空間の底面４上に固定式若しくは着脱式に備え、該底板２ｂをもってキャリーバッグＡの内部空間の底面４と側面５との角部内面を横断面円弧状３に形成した、ペット用キャリーバッグＡである。
【００１６】
実施例１、２に限定されず、キャリーバッグの内部空間の底面と側面との角部内面を横断面円弧状に形成する手段は、例えば、キャリーバッグの底面と側面との角部の外形状を最初から横断面円弧状に形成する等、内部空間の底面と側面との角部内面を横断面円弧状に形成する手段であれば任意である。
【産業上の利用可能性】
【００１７】
本考案ペット用キャリーバッグは、最も一般的なペットである犬、猫用としてに限らず、各種のペットのキャリーバッグとして広い利用可能性がある。
【図面の簡単な説明】
【００１８】
【図１】実施例１のペット用カート式キャリーバッグの正面斜視図
【図２】図１の縦断面説明図。
【図３】図１の内部空間にペットを入れた状態の右側面説明図。
【図４】図３のハイプハンドルを曳いた歩行運搬時に傾斜した状態の説明図。
【図５】底板２ｂの平面図。
【図６】図５の横断面図。
【図７】実施例２のペット用カート式キャリーバッグの縦断面説明図。
【図８】図７の内部空間にペットを入れた状態の右側面説明図。
【図９】図８のハイプハンドルを曳いた歩行運搬時に傾斜した状態の説明図。
【符号の説明】
【００１９】
Ａ  ペット用キャリーバッグ、
１  ペット（犬）、
２ａ  底板（実施例１）
２ｂ  底板（実施例２）
３  横断面円弧状
４  底面
５  前後の側面
６  左右の側面に張ったメッシュ
７  伸縮パイプハンドル
８  キャスター
【図１】
0003140063.tif 000003
【図２】
0003140063.tif 000004
【図３】
0003140063.tif 000005
【図４】
0003140063.tif 000006
【図５】
0003140063.tif 000007
【図６】
0003140063.tif 000008
【図７】
0003140063.tif 000009
【図８】
0003140063.tif 000010
【図９】
0003140063.tif 000011